(57)【特許請求の範囲】
【請求項１】
記録媒体にナビゲーション・データを記録し、トリック再生動作モードを支援するデータ・レコーダ装置であって、データ・ユニットのシーケンスの各データ・ユニットに包含される情報データは、入力データ信号を形成し、当該データ・レコーダ装置は、
前記入力データ信号に応答し、複数のランニング・データ・ユニットの情報データを格納し、前記複数のランニング・データ・ユニットの格納された情報データを順に読み出すバッファ・メモリであって、次に記録されるために並んだデータ・ユニットの情報データが前記バッファ・メモリの出力に進められる、バッファ・メモリと、
第１アドレス・ポインタの位置に関連しおよび第１アドレス・ポインタの値によって示されるデータ・ユニットの情報データが、バッファ・メモリ内で次に並んだデータの情報データと共に存在する場合に、前記入力データ信号に応答して、次に並んだデータ・ユニットのナビゲーション・データの複数のアドレス・ポインタの第１アドレス・ポインタの位置に適合する値を生成する手段であって、前記適合する値は、記録媒体における関連するデータ・ユニットのデータ情報が記録されるよう指定されていることを区別し、第２アドレス・ポインタ位置に関連するデータ・ユニットのデータ情報が、前記バッファ・メモリに内で次に並んだデータの情報データと共に存在しない場合に、次に並んだデータ・ユニットの複数のアドレス・ポインタの第２アドレス・ポインタの位置に適合する値の作成が回避される、手段と、
記録媒体における次に並んだ所与のデータの情報データおよびナビゲーション・データを記録する手段と
を有するデータ・レコーダ装置。
【請求項２】
請求項１記載のデータ・レコーダ装置において、前記記録媒体に記録されるデータ・ユニットが、読取専用ディスク用のディジタル多用途ディスク（ＤＶＤ）の仕様に従うプレーヤの再生動作に関して両立して対応可能である、データ・レコーダ装置。
【請求項３】
請求項１記載のデータ・レコーダ装置において、前記データ・ユニットが画像対象ユニット（ＶＯＢＵ）を形成し、複数のアドレス・ポインタが、読取専用ディスク用のディジタル多用途ディスク（ＤＶＤ）で定められるフィールドＶＯＢＵ探索情報（ＶＯＢＵ−ＳＲＩ）に含まれる、データ・レコーダ装置。
【請求項４】
請求項１記載のデータ・レコーダ装置において、前記バッファ・メモリがファースト・イン・ファースト・アウト・メモリである、データ・レコーダ装置。
【請求項５】
記録媒体にナビゲーション・データを記録し、トリック再生動作モードを支援するデータ・レコーダ装置であって、データ・ユニットのシーケンスの各データ・ユニットに包含される情報データが、セルに区分され、入力データ信号を形成し、当該データ・レコーダ装置は、
前記入力データ信号に応答し、複数のランニング・データ・ユニットの情報データを格納し、前記複数のランニング・データ・ユニットの格納された情報データを順に読み出すバッファ・メモリであって、次に記録されるために並んだデータ・ユニットの情報データが前記バッファ・メモリの出力に進められる、バッファ・メモリと、
第１アドレス・ポインタに関連するデータ・ユニットが、共通セル内で次に並んだデータ・ユニットと共に包含される場合に、前記入力データ信号に応答して、次に並んだデータ・ユニットのナビゲーション・データの複数のアドレス・ポインタの第１アドレス・ポインタの位置に適合する値を生成する手段であって、該適合する値は、記録媒体における関連するデータ・ユニットのデータ情報が、記録されることを区別し、第２アドレス・ポインタに関連するデータ・ユニットおよび次に並んだデータ・ユニットが異なるセルに包含される場合に、複数のアドレス・ポインタの第２アドレス・ポインタの位置に適合する値の生成が回避される、手段と、
共通セルに包含されるデータ・ユニット数を、バッファ・メモリ内で共に包含される情報データを有するデータ・ユニット数により決定される制限値に制限する手段と、
前記記録媒体における次に並んだデータ・ユニットの情報データおよびナビゲーション・データを記録する手段と
を有するデータ・レコーダ装置。
【発明の詳細な説明】
【０００１】
［発明の背景］
読取専用ディスク形式アプリケーションに対するディジタル画像ディスク（ＤＶＤ）において、圧縮に関する動画エキスパート・グループ＃２(MPEG-2: Motion Picture Expert Group #2)に従う、パケット化されたデータ、および／または音声データは、ＤＶＤディスクにマルチプレクスされる。データは、読取専用ディスクに関する既存のＤＶＤ規格の画像仕様（仕様書）の第３部に準拠して記録される。読取専用ＤＶＤデータ・フォーマットは、ＭＰＥＧ−２フォーマットのサブセットを使用し、これは、消費者電気企業の組合に採用された正当な規格によって規定され 、“DVD Demystified-The Guidebook of DVD-Video and DVD-ROM”, by Jim Taylor published by McGraw Hillのような閲覧可能な文献に述べられている。さらに、ＭＰＥＧ−２コンパチブルなデータは、「ＭＰＥＧ規格」を構成するシステム符号化部（１９９４年６月１０日付のＩＳＯ／ＩＥＣ  １３８１８−１）および画像符号化部（１９９５年１月２０日付のＩＳＯ／ＩＥＣ  １３８１８−２）に従ってエンコードされる。
【０００２】
マルチプレクスされたデータは、上演シーケンス(presentation sequence)を形成する画像対象ユニット(VOBU: Video Object Unit)と呼ばれる論理ブロックに区分される。図１は、通常の順方向の上演シーケンスの概略を示し、これは例えば、ＶＯＢＵ（ｎ−ｍ）、ＶＯＢＵ（ｎ）およびＶＯＢＵ（ｎ＋ｍ）をその順序で含む。記号「ｎ」によって表現される数は、そのシーケンス内でのＶＯＢＵの位置を与える。現在のＶＯＢＵ（ｎ）は、例えば、その状況に従って再生または記録のための画像および音声情報を現在提供するＶＯＢＵを表現する。同様に、将来のＶＯＢＵ（ｎ＋ｍ）は、現在のＶＯＢＵ（ｎ）に続く画像および音声情報を提供し、これは、現在のＶＯＢＵ（ｎ）から、記号「ｍ」の数値で定められる中間にあるＶＯＢＵ数だけ隔たっている。同様に、過去のＶＯＢＵ（ｎ−ｍ）は、現在のＶＯＢＵ（ｎ）に先行する画像および音声情報を提供する。
【０００３】
図２は、ＶＯＢＵ（ｎ）内のデータ構造の概略を示す。図１および図２において、同様な記号および番号は同様な要素または機能を示す。図２のＶＯＢＵ（ｎ）の画像情報は、ＭＰＥＧ−２規格に従ってエンコードされ、データ・フィールドに記録され、各々はディスク上の単独のセクタを占有し、これは例えばデータ・フィールドまたは部分画像パック（Ｖ−ＰＣＫ）２０２である。同様に、音声情報はデータ・フィールドに記録され、各々はディスク上の単独のセクタを占有し、これは例えばデータ・フィールドまたは部分音声パック（Ａ−ＰＣＫ）２０３である。
【０００４】
さらに、ＶＯＢＵ（ｎ）のデータ構造は、単独のデータ・フィールドまたは部分ナビゲーション・パック（Ｎａｖ＿Ｐａｃｋ）２０１を包含し、ＶＯＢＵ（ｎ）の上演制御およびディスク上での単独セクタの占有に関する情報を包含する。データ・フィールドＮａｖ＿Ｐａｃｋ２０１は、図示されていないデータ探索情報(DSI: Data Search Information)として規格で言及されるデータ・フィールドを含み、これは、１６８バイト長を有するデータ・フィールドＶＯＢＵ探索情報（ＶＯＢＵ＿ＳＲＩ）２０１を含む。高速リバースまたは高速早送りのような「トリック(trick)」再生動作を実行するために、フィールドＶＯＢＵ＿ＳＲＩ２０１ａは、現在のＶＯＢＵ（ｎ）に対して将来または過去のＶＯＢＵにおけるデータを探索するのに選択的に使用される情報を含む。トリック再生動作において、上演シーケンスにおける画像ＶＯＢＵの部分集合(subset)は、通常の上演シーケンスにおけるものより速い映像を達成するための情報内容を提供する。
【０００５】
図３のテーブルは、図３Ａおよび図３Ｂを包含する。所与の４バイト・アドレス・ポインタまたはデータ・ワードＦＷＤＩ（ｍ）は、図３のテーブルに示され、図１の現在のＶＯＢＵ（ｎ）のフィールドＶＯＢＵ＿ＳＲＩ２０１ａに包含され、その開始と、データ・ワードＦＷＤＩ（ｍ）に関連する図示されていない将来のＶＯＢＵの論理セクタ・アドレスを示す。図１，２，３における同様な記号および番号は、同様な時間または機能を示す。通常の順方向上演モードにおいて、例えばデータ・ワードＦＷＤＩ（ｍ）に関連する将来のＶＯＢＵ（ｎ＋ｍ）のような将来のＶＯＢＵがディスプレイに表示され、これは、現在のＶＯＢＵ（ｎ）の上演開始時間から測定して、値「ｍ」に０．５を乗じた秒数に等しい遅延を有する間隔の後に生じる。パラメータ「ｍ」は、１ないし１５の連続的な整数値および２０，６０，１２０，２４０の整数値から選択される。例えば、ワードＦＷＤＩ（ｍ＝２０）は、将来のＶＯＢＵを示し、現在のＶＯＢＵ（ｎ）に続いて、通常の順方向上演シーケンスの２０ＶＯＢＵで上演されるものである。
【０００６】
同様に、図３のテーブルにおける各々の４バイト・アドレス・ポインタまたはデータ・ワードＢＷＤＩ（ｍ）は、その開始と、データ・ワードＢＷＤＩ（ｍ）に関連する例えばＶＯＢＵ（ｎ−ｍ）の過去の対応するＶＯＢＵの論理セクタ・アドレスを示す。通常の順方向上演モードにおいて、データ・ワードＢＷＤＩ（ｍ）に関連する過去のＶＯＢＵがディスプレイに表示され、これは、現在のＶＯＢＵ（ｎ）の上演開始時間よりも、値「ｍ」に０．５を乗じた秒数に等しい遅延を有する間隔の前に生じる。パラメータ「ｍ」は、上記と同一の整数値から選択される。例えば、ワードＢＷＤＩ（ｍ＝２０）は、現在のＶＯＢＵ（ｎ）以前の、上演シーケンスにおいて生じるＶＯＢＵを示す。
【０００７】
トリック動作モードでは、ＤＶＤプレーヤは、図示されていないが、仕様書に従って、次のＶＯＢＵのアドレスを取得し、図２の現在のＶＯＢＵ（ｎ）のフィールドＶＯＢＵ＿ＳＲＩ２０１ａにおいて、対応するエントリ、ワードＦＷＤＩ（ｍ）またはＢＷＤＩ（ｍ）からの処理を行う。したがって、中間のＶＯＢＵに包含される画像情報の上演は省略され、またはスキップされ、早送りまたは早戻しのトリック動作モードを行なう。例えば、高速トリック・モードにおいて、２１番目の将来のＶＯＢＵが現在のＶＯＢＵ（ｎ）の直後に上演される場合に、それらの間に介在する２０ＶＯＢＵの上演は、スキップされる。１画像当たり１０フィールドの場合における１画像のみを表示する場合に、その結果は高速トリック動作モードであり、これは通常の上演モードの約６０倍高速である。
【０００８】
既存の読取専用ＤＶＤプレーヤを利用して、仕様書に準拠したディスクを用いて、再生動作とコンパチブルなディスクにおける音声および画像内容のリアル・タイム記録を実行することが望ましい。これの意味することは、データ・ワードＦＷＤＩ（ｍ）およびＢＷＤＩ（ｍ）がデータ・ストリームで提供される必要があることである。現在のＶＯＢＵ（ｎ）におけるデータ・ワードＦＷＤＩ（ｍ）を記録することは、レコーダにおいて大きなバッファ・メモリを利用することを要しない。これは、データ・ワードＢＷＤＩ（ｍ）に関連する過去のＶＯＢＵのセクタ・アドレスが、現在のＶＯＢＵ（ｎ）のデータを受信するのに先立って計算され得るためである。
【０００９】
一方、データ・ワードＦＷＤＩ（ｍ）を記録するために蓄積する適切な値は、不利なことに、大きなバッファ・メモリを必要とする。ＭＰＥＧエンコードにおける可変ビット・レートに起因して、拡張したデータ・バッファを要することなしに、例えば現在のＶＯＢＵ（ｎ）の画像データがＭＰＥＧエンコーダにより生成される時点において、将来のＶＯＢＵが有するであろうアドレスが何であるかを知ることはできない。
【００１０】
フィールドＶＯＢＵ＿ＳＲＩ２０１ａに例えば将来の２４１番目のＶＯＢＵに関する図３のワードＦＷＤＩ（ｍ＝２４０）を記録するために、間にあるＶＯＢＵの総ての画像情報がエンコードされ、２４１番目の将来のＶＯＢＵの開始セクタ・アドレスを計算するために構築され格納される必要がある。２４１番目の将来のＶＯＢＵは、現在のＶＯＢＵ（ｎ）以後２４０ＶＯＢＵを出現させる。したがって、間にある２４０の将来のＶＯＢＵの各々に関する情報は、現在のＶＯＢＵ（ｎ）のフィールドＶＯＢＵ＿ＳＲＩ２０１ａの情報をディスクに記録するのに先立って、メモリに格納される必要がある。２４１の将来のＶＯＢＵの各々が生成されると、図３のテーブルのワードＦＷＤＩ（ｍ）が生成され得る。不利なことに、そのような多くのＶＯＢＵを格納することは、１００メガ・バイトの範疇におけるメモリ内で過剰に多くの格納領域を必要とする。
【００１１】
本発明の特徴を使用する場合において、仕様書に従って、それぞれワードＦＷＤＩ（ｍ＝６０）、ＦＷＤＩ（ｍ＝１２０）およびＦＷＤＩ（ｍ＝２４０）に包含され、図１の現在のＶＯＢＵ（ｎ）に先行する、６１番目、１２１番目および２４１番目の将来のＶＯＢＵの各々のアドレス・ポインタは、仕様書に準拠する必要のない値に設定される。さらに、ワードＦＷＤＩ（ｍ＝１）ないしＦＷＤＩ（ｍ＝２０）の各々に包含されるアドレスは、仕様に準拠するように作成される。したがって、ワードＦＷＤＩ（ｍ＝２０）に対応する最速の順方向トリック・モードは、上述したように通常のモードより６０倍速い。有利なことに、このような形態は、メモリ要請を、８メガ・バイトのオーダーまで顕著に減少させる。
【００１２】
本発明の更なる特徴を使用する場合において、ワードＦＷＤＩ（ｍ＝６０）、ＦＷＤＩ（ｍ＝１２０）およびＦＷＤＩ（ｍ＝２４０）の各々において、例えば２０番目の将来のＶＯＢＵに関連するワードＦＷＤＩ（ｍ＝２０）が、記録される。このため、通常の上演モードの６０倍のより速い高速トリック・モードで動作する機能を有するＤＶＤプレーヤは、６０倍速いトリック・モードに制限される。
【００１３】
仕様書により、図１のセル２０６のような「セル(Cell)」として言及されるＶＯＢＵの所定のグループに対して、フィールドＶＯＢＵ＿ＳＲＩ２０１ａに提供される論理セクタ・アドレスは有効である。例えば、セル２０６は、例えばＶＯＢＵ（ｎ−ｍ），ＶＯＢＵ（ｎ），ＶＯＢＵ（ｎ＋ｍ）および間にあるＶＯＢＵを含む論理的な集合体(logical association)である。セル２０６は、開始論理セクタ番号および終了論理セクタ番号を含む２つのセクタ・アドレスによって記述される。セクション４．５．４、サブ・セクション２および４の仕様書において、所与のワードＦＷＤＩ（またはＢＷＤＩ）が、セル２０６のようなセルの範囲外のＶＯＢＵのアドレスを示すならば、実際のＶＯＢＵのアドレス・ポインタではなく、「不存在(does not exist)」コードとして言及されるビットの組み合わせを包含すべきことが述べられている。
【００１４】
本発明の他の特徴により、各セルは単なる５９ＶＯＢＵのサイズに制約される。５９のＶＯＢＵのみに各セルのサイズを拘束することの結果として、ワードＦＷＤＩ（ｍ＝６０）、ＦＷＤＩ（ｍ＝１２０）およびＦＷＤＩ（ｍ＝２４０）の各々のエントリは、上述した「不存在」コードを包含することのみを要する。したがって、有利なことに、大きなバッファ・メモリに関する要請は小さくなる。
【００１５】
［発明の要約］
本発明の特徴を使用するデータ・レコーダ装置は、記録媒体にナビゲーション・データを記録し、トリック再生動作モードを支援するデータ・レコーダ装置であって、データ・ユニットのシーケンスの各データ・ユニットに包含される情報データが、入力データ信号を形成するために使用される。データ・レコーダ装置は、前記入力データ信号に応答し、複数のランニング・データ・ユニットの情報データを格納し、前記複数のランニング・データ・ユニットの格納された情報データを順に読み出すバッファ・メモリを含む。次に記録されるために並んだデータ・ユニットの情報データは、前記バッファ・メモリの出力に進められる。
【００１６】
第１アドレス・ポインタの位置に関連しおよび第１アドレス・ポインタの値によって示されるデータ・ユニットの情報データが、バッファ・メモリ内で次に並んだデータの情報データと共に存在する場合に、前記入力データ信号に応答して、次に並んだデータ・ユニットのナビゲーション・データの複数のアドレス・ポインタの第１アドレス・ポインタの位置に適合する値が生成される。前記適合する値は、記録媒体における関連するデータ・ユニットのデータ情報が記録されるよう指定されていることを区別する。第２アドレス・ポインタおよび次に並んだデータ・ユニットに関連するデータ・ユニットが異なるセルに包含される場合に、複数のアドレス・ポインタの第２アドレス・ポインタの位置に適合する値の生成は、回避される。共通セルに包含されるデータ・ユニット数は、バッファ・メモリに同時に包含され得る情報データを有するデータ・ユニットの最大数に従って決定される制限値に制限される。次に並んだデータ・ユニットの情報データおよびナビゲーション・データは、記録媒体に記録される。
【００１７】
本発明の他の特徴を利用するデータ・レコーダ装置は、記録媒体にナビゲーション・データを記録し、トリック再生動作モードを支援するデータ・レコーダ装置であって、データ・ユニットのシーケンスの各データ・ユニットに包含される情報データが、セルに区分され、入力データ信号を形成する。データ・レコーダ装置は、前記入力データ信号に応答し、複数のランニング・データ・ユニットの情報データを格納し、前記複数のランニング・データ・ユニットの格納された情報データを順に読み出すバッファ・メモリを含む。次に記録されるために並んだデータ・ユニットの情報データは、前記バッファ・メモリの出力に進められる。第１アドレス・ポインタに関連するデータ・ユニットが、共通セル内で次に並んだデータ・ユニットと共に包含される場合に、前記入力データ信号に応答して、次に並んだデータ・ユニットのナビゲーション・データの複数のアドレス・ポインタの第１アドレス・ポインタの位置に適合する値が生成される。該適合する値は、記録媒体における関連するデータ・ユニットのデータ情報が、記録されることを区別する。第２アドレス・ポインタに関連するデータ・ユニットおよび次に並んだデータ・ユニットが異なるセルに包含される場合に、複数のアドレス・ポインタの第２アドレス・ポインタの位置に適合する値の生成は、回避される。共通セルに包含されるデータ・ユニット数を、バッファ・メモリ内で共に包含される情報データを有するデータ・ユニット数により決定される制限値に制限される。次に並んだデータ・ユニットの情報データおよびナビゲーション・データは、記録媒体に記録される。
【００１８】
［詳細な説明］
図４は、本発明によるデータ・レコーダ１２０に関するデータ処理システム５００のブロック図を示す。ＭＰＥＧエンコーダ１００は、画像データ・エンコーダ１０１を有する。例えば国際テレビジョン規格委員会（ＮＴＳＣ）エンコーダ（図示せず）により得られるデータ入力信号１０１ａは、画像データ・エンコーダ１０１に結合され、既存の手法でＭＰＥＧ−２規格に従って画像情報をエンコードし、画像データ信号１０１ｂを生成する。既存の音声ＡＣ−３（音声圧縮バージョン３）エンコーダ１０２は、ステレオ・オーディオ入力信号１０２ａに応答して、音声情報を含むＡＣ−３データ信号１０２ａを生成するために使用される。信号１０２ａ，１０１ｂは、パケット化／マルチプレクサ１０５においてマルチプレクスされてパケット化され、マルチプレクス・データ信号１０５ａを形成する。
【００１９】
データ信号１０５ａのデータは、図２のセル２０６のような仕様に従って、連続的に形成されるセルに論理的に区分される。各セルは、以下の相違点を除いて、ＶＯＢＵ（ｎ）と実質的に同じデータ構造を有するＶＯＢＵを含む。信号１０５ａにおいて、例えば、データ・フィールドＮａｖ＿Ｐａｃｋ２０１と同様な例えばＶＯＢＵ（ｎ）のデータ・フィールドＮａｖ＿Ｐａｃｋ２０１’のビット・カウントおよびデータ・スペースは、データ・フィールドＮａｖ＿Ｐａｃｋ２０１におけるものと同一である。しかしながら、信号１０５ａにおけるデータ・フィールドＮａｖ＿Ｐａｃｋ２０１’の部分は、後述するように以後修正される「ダミー」データを包含する。
【００２０】
データ信号１０５ａは、信号１０５ａに包含される最近生じたＶＯＢＵ，ＶＯＢＵ（ｎ＋２０）の各々のデータを格納する先入れ先出しバッファ・メモリ１０６に結合される。直後のＶＯＢＵが信号１０５ａで生じる場合に、それはＶＯＢＵ（ｎ＋２０）として言及され、以前に生じたＶＯＢＵ（ｎ＋２０）はＢＯＢＵ（ｎ＋１９）に再指定され、以下同様である。
【００２１】
メモリ１０６は、最も最近生じたＶＯＢＵ、ＶＯＢＵ（ｎ＋２０）ないしＶＯＢＵ（ｎ）のランニング・データを包含するための容量を有する。したがって、ＶＯＢＵ（ｎ＋２０）のデータは、メモリ１０６において格納される最後のものである。ＶＯＢＵ（ｎ）のデータは、メモリ１０６の出力信号１０６ａで生じる。
【００２２】
「ダミー」データを包含しないが実際のデータが記録される信号１０６ａの部分は、第１入力端子１０７ａを通じて、データ・レコーダ１２０の図示されていないディスクにおける記録を行なうデータ・レコーダ１２０に結合される。入力端子１０７ａは、スイッチ１０７の出力端子１０７ｄに結合される。端子１０７ａおよび１０７ｄの間の結合は、制御端子１０７ｃによりマイクロプロセッサ１１０によって制御される。記録された後に、ＶＯＢＵ（ｎ）のデータは、ファースト・イン・ファースト・アウト方式でメモリ１０６から消去される。
【００２３】
エンコーダ１００は、新規のセクタのデータが信号１０５ａに生じる各時点でフラグ信号３００を生成する。信号３００は、信号が生成される各時点でセクタ・カウンタ１１０ａをインクリメントするマイクロプロセッサ１１０に結合される。信号１０５ａの各セクタ・データは、図示されていないヘッダ部分を含み、これは例えば、部分Ｖ−ＰＣＫ２０２，Ａ−ＰＣＫ２０３またはＮａｖ＿Ｐａｃｋ２０１と同様な形式のものであるデータを識別するような、セクタ・データの形式を識別する。
【００２４】
データ・フィールドＮａｖ＿Ｐａｃｋ２０１’の図示されていないヘッダ部分が、コード検出器１００ｃで検出され、新規のＶＯＢＵ（ｎ＋２０）のデータがほぼ続くことを示すと、マイクロプロセッサ１１０は、ナビゲーション情報メモリ２００、ワード・スタート・アドレス（ｎ＋２０）をファースト・イン・ファースト・アウトで格納する。ワード・スタート・アドレス（ｎ＋２０）は、セクタ・カウンタ１１０ａの出力信号１１０ｂの現在の値を含む。そして、ワード・スタート・アドレス（ｎ＋２０）は、ＶＯＢＵ（ｎ＋２０）の開始セクタ・アドレスを包含する。
【００２５】
ヘッダ部の信号１０５ａにおける検出直後に、マイクロプロセッサ１１０は、信号１０５ａのデータ・ストリームにおいて、仕様書に規定される図示されていない３２ビット画像開始コードの出現を探索する。ＭＰＥＧに従う図示されていない第１リファレンスの開始セクタ、Ｉ形式(I-type)画像フレームを示す、信号１０５ａにおける画像開始コードを検出した後で、マイクロプロセッサ１１０は、信号１０５ａのデータ・ストリームにおける画像開始コード直後の出現を探索し続ける。直後の画像開始コードが検出されると、マイクロプロセッサ１１０は、ナビゲーション情報メモリ２００において、セクタ・カウンタ１１０ａの現在の値を含むワード第１リファレンス・アドレス（ｎ＋２０）を格納する。ワード第１リファレンス・アドレス（ｎ＋２０）は、第１リファレンスの最終セクタ番号またはアドレス、ＶＯＢＵ（ｎ＋２０）における仕様書で規定されるＩ形式画像フレームを包含する。
【００２６】
同様に、マイクロプロセッサ１１０は、ワード第２リファレンス・アドレス（ｎ＋２０）を、ナビゲーション情報メモリ２００に格納し、これは、ＶＯＢＵ（ｎ＋２０）における図示されていない第２リファレンスの最終セクタのセクタ番号又はアドレス、Ｉ又はＰ形式の画像フレームを包含する。同様に、ワード第３リファレンス・アドレス（ｎ＋２０）が格納され、これは、ＶＯＢＵ（ｎ＋２０）における第３リファレンスの最終セクタのセクタ番号、Ｉ又はＰ形式画像フレームを包含する。
【００２７】
ここに説明された、格納されるワード・スタート・アドレス（ｎ＋２０）、第１リファレンス・アドレス（ｎ＋２０）、第２リファレンス・アドレス（ｎ＋２０）および第３リファレンス・アドレス（ｎ＋２０）のグループは、集合的にワード・グループ・ポインタ（ｎ＋２０）として、ＶＯＢＵ（ｎ＋２０）に関連付けら得る。信号１０５ａ内に直後のＶＯＢＵが生じる場合に、その対応する情報は、ワード・グループ・ポインタ（ｎ＋２０）として言及されるメモリ２００に格納される。さらに、以前に格納されたワード・グループ・ポインタ（ｎ＋２０）は、ワード・グループ・ポインタ（ｎ＋１９）として再指定され、以下同様に続く。このため、メモリ２００は、ＶＯＢＵ（ｎ＋２０）ないしＶＯＢＵ（ｎ−２４０）の各々関連するポインタ（ｎ＋２０）ないしワード・グループ・ポインタ（ｎ−２４０）の、２６１の最も最近生じたワード・グループのランニング・データを包含する。ワード・グループ・ポインタ（ｎ＋２０）のデータは、メモリ２００で最も最近格納されたものである。さらに、ワード・グループ・ポインタ（ｎ−２４０）のデータは、最も早期に格納されたものであってメモリ２００から消去されたものに隣接するものである。
【００２８】
上述したように、ＶＯＢＵ（ｎ）に対応するメモリ１０６の出力信号１０６ａにおけるビット・カウント又はビット・スペースは、図示されていないディスクに記録されたデータと同じである。しかしながら、例えば図２のＶＯＢＵ（ｎ）のフィールドＶＯＢＵ＿ＳＲＩ２０１’のビットは、信号１０６ａに「ダミー」データを包含する。
【００２９】
本発明の特徴を使用すると、信号１０６ａのＶＯＢＵ（ｎ）の図２のフィールドＶＯＢＵ＿ＳＲＩ２０１ａ’の上述した「ダミー」データは、記録に先立って置き換えられる。ワード・グループ・ポインタ（ｎ＋２０）のワード・スタート・アドレス（ｎ＋２０）に包含される情報は、図３のＶＯＢＵ（ｎ）のワードＦＷＤＩ（ｍ＝２０）を生成するために使用され、アドレス・ポインタに２１番目の将来のＶＯＢＵを提供する。２１番目の将来のＶＯＢＵ，ＶＯＢＵ（ｎ＋２０）は、上演シーケンスにおいて現在のＶＯＢＵ（ｎ）に２０ＶＯＢＵ遅れて位置する。同様に、スタート・アドレス（ｎ＋２０）ないしスタート・アドレス（ｎ＋１）、スタート・アドレス（ｎ−１）ないしスタート・アドレス（ｎ−１５）、スタート・アドレス（ｎ−２０）、スタート・アドレス（ｎ−６０）、スタート・アドレス（ｎ−１２０）およびスタート・アドレス（ｎ＋２４０）の各々に含まれる情報は、ワードＦＷＤＩ（ｍ＝２０）ＦＷＤＩ（ｍ−１５）ないしＦＷＤＩ（ｍ＝１）、ＢＷＤＩ（ｍ＝１）ないしＢＷＤＩ（ｍ＝１５）、ＢＷＤＩ（ｍ＝２０）、ＢＷＤＩ（ｍ＝６０）、ＢＷＤＩ（ｍ＝１２０）およびＢＷＤＩ（ｍ＝２４０）をそれぞれ生成するために使用される。したがって、ワードＦＷＤＩ（ｍ＝２０）ＦＷＤＩ（ｍ＝１５）ないしＦＷＤＩ（ｍ＝＋１）、ＢＷＤＩ（ｍ＝１）ないしＢＷＤＩ（ｍ＝１５）、ＢＷＤＩ（ｍ＝２０）、ＢＷＤＩ（ｍ＝６０）、ＢＷＤＩ（ｍ＝１２０）およびＢＷＤＩ（ｍ＝２４０）は、メモリ２００の出力信号２００ａで生成される。
【００３０】
Ｎａｖ＿Ｐａｃｋ２０１の図示されていないデータ・フィールドＶＯＢＵ＿１ＳＴＲＥＦ−ＥＡのビット、データ・フィールドＶＯＢＵ＿２ＳＴＲＥＦ−ＥＡ、およびデータ・フィールドＶＯＢＵ＿３ＳＴＲＥＦ−ＥＡは、第１リファレンスの最終セクタ・アドレス、Ｉ形式画像フレーム、第２リファレンス、Ｉ又はＰ形式画像フレームおよび第３リファレンス、Ｉ又はＰ形式画像フレームをそれぞれ包含するように、仕様書に従って要求される。これら３つのデータ・フィールドは、ＮＡＶ＿ＰＡＫ２０１’における「ダミー」データを同様に包含する。したがって、ワード・グループ・ポインタ（ｎ）のワード第１リファレンス・アドレス（ｎ）、第２リファレンス・アドレス（ｎ）、第３リファレンス・アドレス（ｎ）を利用して、信号２００ａにおいて、上述した「ダミー」データ・ビットの置き換えにおけるＶＯＢＵ（ｎ）の、図示されないデータ・フィールドＶＯＢＵ＿１ＳＴＲＥＦ−ＥＡ、データ・フィールドＶＯＢＵ＿２ＳＴＲＥＦ−ＥＡ、およびデータ・フィールドＶＯＢＵ＿３ＳＴＲＥＦ−ＥＡの適切なデータ・ビットをそれぞれ生成する。
【００３１】
スイッチ１０７の第２入力端子１０７ｂが出力端子１０７ｄに結合される場合に、信号２００ａは、データ・レコーダ１２０に結合され、スイッチ１０７によって形成される信号経路を通じてデータ・レコーダ１２０に記録される。端子１０７ｂおよび１０７ｄの間の結合は、制御端子１０７ｃを通じてマイクロプロセッサ１１０によって制御され、適切なタイミングで、ＶＯＢＵ（ｎ）の図２のフィールドＶＯＢＵ＿ＳＲＩ２０１ａ’の対応する「ダミー」データ・ビットを、信号２００ａから得られた正しいデータ・ビットに置き換えることを生じさせる。
【００３２】
本発明による特徴を使用すると、仕様書に従うＦＷＤＩ（ｍ＝６０）、ＦＷＤＩ（ｍ＝１２０）およびＦＷＤＩ（ｍ＝２４０）をそれぞれ包含する図１の現在のＶＯＢＵ（ｎ）に先行する６０番目、１２０番目および２４０番目の将来のＶＯＢＵの各々に関するポインタは、その仕様書に従わない。さらに、ワードＦＷＤＩ（ｍ＝１）ないしＦＷＤＩ（ｍ＝２０）に含まれる対応するアドレス・ポインタは、仕様書に準拠するようにも形成される。したがって、最高の順方向のトリック・モードが生じるのは、ワードＦＷＤＩ（ｍ＝２０）がトリック・モードを制御するために選択された場合である。有利なことに、そのような形態は、メモリ１０６のメモリ・サイズの要請を、８メガ・バイトのオーダーまで顕著に減少させる。
【００３３】
本発明の他の特徴を利用すると、ワードＦＷＤＩ（ｍ＝６０）、ＦＷＤＩ（ｍ＝１２０）およびＦＷＤＩ（ｍ＝２４０）の各々において、例えばワードＦＷＤＩ（ｍ＝２０）に含まれる２０番目の将来のＶＯＢＵのポインタが記録される。このため、ワードＦＷＤＩ（ｍ＝２０）により定められるものより高速の早送りトリック・モードで動作する能力を有するＤＶＤプレーヤは、ワードＦＷＤＩ（ｍ＝２０）で定められるものに制限される。
【００３４】
パケット化／マルチプレクサ１０５は、各ＶＯＢＵに対応するセルを割り当て、そのセルは、例えばＶＯＢＵ（ｎ）のＮａｖ＿Ｐａｃｋ２０１’における図示されていないデータ・フィールドに対応する適切な値を設定することによる図１のセル２０６のようなものである。仕様書のセクション４．５．４のサブセクション２および４は、所与のワードＦＷＤＩ（またはＢＷＤＩ）が、セルの範囲外のＶＯＢＵのアドレスを指し示すならば、そのようなＦＷＤＩ（またはＢＷＤＩ）は、実際のＶＯＢＵアドレスのアドレスではなく「不存在」コードとして言及されるビットの組み合わせを包含する。
【００３５】
本発明の更なる特徴によれば、各セルのサイズは、パケット化／マルチプレクサによって、例えば５９のみのＶＯＢＵに制限される。したがって、ＦＷＤＩ（ｍ＝６０）、ＦＷＤＩ（ｍ＝１２０）およびＦＷＤＩ（ｍ＝２４０）の各々に関するエントリは、規格に準拠する上述の「不存在」コードを包含することのみを要する。したがって、有利なことに、Ｎａｖ＿Ｐａｃｋ２０１は、例えば、仕様書に準拠して作成される。セル２０６のようなセル・サイズを５９のみのＶＯＢＵに限定する機能を利用して、仕様書から逸脱することなしに、多くのバッファ・メモリの必要性を排除する。
【００３６】
シームレスに上演されるように隣接する形式で包含され得るセルの最大数は２５５である。ＶＯＢＵの上演時間は０．４および１．２の間であり、公称値は０．５秒である。セルを形成するＶＯＢＵの数は５９である。したがって、１２５分の記録内容の公称記録は、シームレスであるように保証される。
【図面の簡単な説明】
【図１】  図１は、既存の仕様によるセルの概略的なデータ構造を示す。
【図２】  図２は、既存の仕様による図１のセルの画像対象ユニット（ＶＯＢＵ）の概略的な構造を示す。
【図３Ａ】  図３Ａは、既存の仕様による図２の画像対象ユニットのナビゲーション・パックの部分におけるデータ構造によるテーブルを示す。
【図３Ｂ】  図３Ｂは、既存の仕様による図２の画像対象ユニットのナビゲーション・パックの部分におけるデータ構造によるテーブルを示す。
【図４】  図４は、本発明によるデータ・レコーダに関するデータ処理システムのブロック図を示す。
【図１】
0004422939.tif 000002
【図２】
0004422939.tif 000003
【図３Ａ】
0004422939.tif 000004
【図３Ｂ】
0004422939.tif 000005
【図４】
0004422939.tif 000006